(57)【要約】  開示されているのは、音響的に結合された電気音響変換器（１１、１２、１３）でトラックを囲む帯域通過フィルタ（１００）を含む電気フィルタである。さらに、フィルタは、少なくとも１つの電気音響直列素子（２１、２２）および少なくとも１つの電気音響並列素子（２３、２４）を備える帯域阻止フィルタ（２００）を含む。帯域阻止フィルタの直列素子（２１、２２）は帯域通過フィルタの少なくとも１つの変換器（１１、１２）に連続的に接続される。帯域阻止フィルタの並列素子（２３、２４）は、帯域通過フィルタの少なくとも１つの変換器（１１、１２、１３）に電気接続されるシャントアーム内に配置される。少なくとも１つの電気音響素子（２１、２２、２３、２４）の共振周波数および反共振周波数は、帯域通過フィルタ（１００）の帯域の外側にある。【選択図】図８Ｂ
2010519813.tif 000002
【特許請求の範囲】
【請求項１】
音響的に結合された電気音響変換器（１１、１２、１３）を有するトラックを含む帯域通過フィルタ（１００）と、
前記帯域通過フィルタ（１００）に電気的に接続され、かつ少なくとも１つの電気音響直列素子（２１、２２）と少なくとも１つの電気音響並列素子（２３、２４）とを含む帯域阻止フィルタ（２００）と、
を含む電気フィルタであって、
前記少なくとも１つの電気音響直列素子（２１、２２）は、前記帯域通過フィルタの前記変換器（１１、１２）の少なくとも１つに直列に接続され、
前記帯域阻止フィルタ（２００）は、少なくとも１つの前記電気音響並列素子（２３、２４）が配置されるシャントアームを含み、
共振周波数および反共振周波数は、前記帯域阻止フィルタ（２００）の少なくとも１つの前記電気音響素子（２１、２２、２３、２４）内で前記帯域通過フィルタ（１００）の通過帯域の外側にある、ことを特徴とする、
電気フィルタ。
【請求項２】
前記共振周波数および前記反共振周波数は、前記帯域阻止フィルタ（２００）の前記直列素子（２１、２２）内で前記帯域通過フィルタ（１００）の前記帯域の外側にあり、
前記共振周波数および前記反共振周波数は、前記帯域阻止フィルタ（２００）の前記並列素子（２３、２４）内で前記帯域通過フィルタ（１００）の前記帯域の外側にある、ことを特徴とする、
請求項１に記載のフィルタ。
【請求項３】
前記共振周波数および前記反共振周波数は、前記帯域阻止フィルタの前記直列素子（２１、２２）内で前記帯域通過フィルタ（１００）の前記帯域の上方にあり、
前記共振周波数および前記反共振周波数は、前記帯域阻止フィルタの前記並列素子（２３、２４）内で前記帯域通過フィルタ（１００）の前記帯域の上方にある、ことを特徴とする、
請求項１または２に記載のフィルタ。
【請求項４】
前記共振周波数は、前記帯域阻止フィルタの前記直列素子（２１、２２）内で前記帯域通過フィルタ（１００）の前記通過帯域内にあり、
前記共振周波数および前記反共振周波数は、前記帯域阻止フィルタの前記並列素子（２３、２４）内で前記帯域通過フィルタ（１００）の前記帯域の上方にある、ことを特徴とする、
請求項１または２に記載のフィルタ。
【請求項５】
前記共振周波数および前記反共振周波数は、前記帯域阻止フィルタの前記直列素子（２１、２２）内で前記帯域通過フィルタ（１００）の前記帯域の下方にあり、
前記共振周波数および前記反共振周波数は、前記帯域阻止フィルタの前記並列素子（２３、２４）内で前記帯域通過フィルタ（１００）の前記帯域の下方にある、ことを特徴とする、
請求項１または２に記載のフィルタ。
【請求項６】
前記共振周波数および前記反共振周波数は、前記帯域阻止フィルタの前記直列素子（２１、２２）内で前記帯域通過フィルタ（１００）の前記帯域の下方にあり、
前記反共振周波数は、前記帯域阻止フィルタの前記並列素子（２３、２４）内で前記帯域通過フィルタ（１００）の前記帯域内にある、ことを特徴とする、
請求項１または２に記載のフィルタ。
【請求項７】
少なくとも一つの前記電気音響直列素子（２１、２２）は、少なくとも１つのＳＡＷ変換器を含み、および／または、
少なくとも一つの前記電気音響並列素子（２３、２４）は、少なくとも１つのＳＡＷ変換器を含む、ことを特徴とする、
請求項１ないし６のいずれか１項に記載のフィルタ。
【請求項８】
少なくとも一つの前記電気音響直列素子（２１、２２）は、少なくとも１つのＢＡＷ共振器を含み、および／または、
少なくとも一つの前記電気音響並列素子（２３、２４）は、少なくとも１つのＢＡＷ共振器を含む、ことを特徴とする、
請求項１ないし６のいずれか１項に記載のフィルタ。
【請求項９】
第１の信号路と第２の信号路を含むフィルタであって、
前記帯域阻止フィルタ（２００）の第１の直列素子（２１）および前記帯域通過フィルタ（１００）の第１の変換器（１１）からなる直列回路は、前記第１の信号路内に配置され、
前記帯域阻止フィルタの第２の直列素子および前記帯域通過フィルタの第２の変換器からなる直列回路は、前記第２の信号路内に配置される、ことを特徴とする、
請求項１ないし８のいずれか１項に記載のフィルタ。
【請求項１０】
前記帯域阻止フィルタは、前記帯域阻止フィルタの前記第１および第２の直列素子を含むインライン配置である、ことを特徴とする、
請求項９に記載のフィルタ。
【請求項１１】
前記帯域阻止フィルタの前記第１および第２の直列素子は、音響的に結合されている、ことを特徴とする、
請求項９または１０に記載のフィルタ。
【請求項１２】
前記帯域阻止フィルタは、第１の並列素子（２３）および第２の並列素子（２４）を含み、
前記第１および第２の並列素子（２３、２４）の直列回路は、前記シャントアーム内に配置される、ことを特徴とする、
請求項９または１０に記載のフィルタ。
【請求項１３】
前記シャントアームは、前記第１の信号路と前記第２の信号路とを接続する、ことを特徴とする、
請求項９ないし１２のいずれか１項に記載のフィルタ。
【請求項１４】
前記帯域阻止フィルタ（２００）の前記第１および第２の並列素子（２３、２４）を含むインライン配置を含む、ことを特徴とする、
請求項１２または１３に記載のフィルタ。
【請求項１５】
前記第１および前記第２の並列素子（２３、２４）は、音響的に結合している、ことを特徴とする、
請求項１２ないし１４のいずれか１項に記載のフィルタ。
【請求項１６】
前記帯域阻止フィルタは、前記帯域阻止フィルタ（２００）の前記直列素子（２１）および前記並列素子（２３）を含むインライン配置である、ことを特徴とする、
請求項１ないし８のいずれか１項に記載のフィルタ。
【請求項１７】
前記帯域阻止フィルタの前記直列素子（２１）および前記並列素子（２３）は、音響的に結合している、ことを特徴とする、
請求項１６に記載のフィルタ。
【請求項１８】
前記帯域阻止フィルタ（２００）の前記第１および前記第２の直列素子の間に配置された音響反射器（３５）を含む、ことを特徴とする、
請求項１１、１５または１７に記載のフィルタ。
【請求項１９】
前記帯域通過フィルタ（１００）の第３の変換器（１３）が配置される第３の信号路をさらに含むフィルタであって、
前記第３の信号路は、前記第１の信号路および前記第２の信号路から電気的に隔離され、
前記シャントアームは前記第３の信号路に接続され、および／または、
前記帯域阻止フィルタ（２００）の少なくとも１つの前記直列素子（２１、２２）は前記第３の信号路内に配置される、ことを特徴とする、
請求項９ないし１８のいずれか１項に記載のフィルタ。
【請求項２０】
前記帯域通過フィルタ（１００）の第１および第２の変換器（１１、１２）は、並列にかつ共通の信号路に接続される、ことを特徴とする、
請求項１ないし８のいずれか１項に記載のフィルタ。
【請求項２１】
前記シャントアームは、前記共通の信号路に接続され、および／または、
前記帯域阻止フィルタ（２００）の少なくとも１つの前記直列素子（２１、２２）は、前記共通の信号路内に配置される、ことを特徴とする、
請求項２０に記載のフィルタ。
【請求項２２】
第３の信号路をさらに含むフィルタであって、
前記共通の信号路は前記第３の信号路から電気的に隔離され、
前記帯域阻止フィルタ（２００）の少なくとも１つの前記直列素子（２１、２２）は、前記第３の信号路内に配置される、ことを特徴とする、
請求項２０または２１に記載のフィルタ。
【発明の詳細な説明】
【背景技術】
【０００１】
表面弾性波フィルタは、特許文献１から公知である。
【先行技術文献】
【特許文献】
【０００２】
【特許文献１】米国特許第５，５２１，４５３号明細書
【発明の概要】
【０００３】
ある形態において、改善された隣接チャネル選択性および／または改善された遠隔チャネル選択性を有する、冒頭で引用される種類のフィルタが開示される。
【０００４】
一実施形態において、電気フィルタは、音響的に結合した電気音響変換器を備えたトラックを含む帯域通過フィルタを有する。該フィルタは、少なくとも１つの電気音響直列素子、および少なくとも１つの電気音響並列素子を有する帯域阻止フィルタを含む。帯域阻止フィルタの直列素子は、帯域通過フィルタの少なくとも１つの変換器に直列に接続される。したがって、帯域阻止フィルタの直列素子は、フィルタ回路の直列分岐に配置される。帯域阻止フィルタは、少なくとも１つの電気音響並列素子が配置される少なくとも１つのシャントアームを含む。帯域阻止フィルタの少なくとも１つの電気音響素子において、共振周波数および反共振周波数は、帯域通過フィルタの通過帯域の外側に位置する。
【０００５】
帯域阻止フィルタという用語は、阻止帯域において信号の高減衰をもたらすフィルタを示す。阻止帯域のいずれかの側において、すなわち、より高い周波数、およびより低い周波数の側の隣接周波数領域において、帯域阻止フィルタは、阻止帯域に比べて広い、低減衰の通過帯域を有する。
【０００６】
理想的には、阻止帯域よりも低い周波数、および高い全ての周波数は、低減衰で送信される。
【０００７】
好適には、通過帯域は、移動通信システムにおいて、または他の無線送信および通信システムにおいて使用される少なくとも１つまたは複数の帯域に及ぶ。
【０００８】
帯域阻止フィルタは、例えば、およそ３〜８％の、そして周波数によっては５０％またはそれ以上にもなる相対帯域幅を持つ通過帯域を有し得る。
【０００９】
開示されるフィルタは、好適には特にＧＨｚ帯域用の高周波数フィルタの形で実装される。それは、通過帯域における低挿入損により特徴づけられる。帯域阻止フィルタの設計次第で、帯域通過フィルタの隣接チャネル選択性または遠隔チャネル選択性を改善することが可能である。
【００１０】
ある一つの変形形態において、開示されたフィルタは送信フィルタの形態で実装される。この場合、帯域阻止フィルタは、送信路において受信された信号を抑制するだろう。この抑制は、送信フィルタの通過帯域よりも高い周波数にある阻止帯域において改善される。また別の変形形態においては、開示されるフィルタは、受信フィルタの形態で実装される。この場合、帯域阻止フィルタは、受信路において送信された信号を抑制するだろう。この抑制は、送信フィルタの通過帯域よりも低い周波数にある阻止帯域において改善される。
【００１１】
また、帯域阻止フィルタは、相互変調積および帯域雑音を抑制するためにも、とりわけ有利である。
【００１２】
帯域阻止フィルタにより、妨害信号を少なくとも５０ｄＢ抑制することができる。帯域阻止フィルタによりもたらされる挿入損の増加は０．２ｄＢを下回る。
【００１３】
様々な公知のノッチフィルタと、小さな阻止帯域幅を有する帯域阻止フィルタとは、本質的にインピーダンス素子の相互接続に基づくものである。インピーダンス素子のそのような相互接続は、例えば、この場合に直列または並列分岐に配置されるＳＡＷ共振器を有するはしご型配置から構成され得る。適正な帯域幅を有する通過帯域は、整合する回路網によって実現できる。ある有利な変形形態において、直列素子は、直列変換器として下記に示される少なくとも１つのＳＡＷ変換器を含む。ある有利な変形形態において、並列素子は、並列変換器として下記に示される、少なくとも１つのＳＡＷ変換器を含む。ＳＡＷは、表面弾性波、すなわち弾性表面波を意味する。
【００１４】
ＳＡＷ変換器は、第１および第２のフィンガが配置されている音響トラックを含む。フィンガは、トラック方向に対して垂直に伸びる金属片の形態で実装される。第１のフィンガは第１の母線に接続され、第２のフィンガは第２の母線に接続される。第１および第２のフィンガは好適には交互に配置される。
【００１５】
原則的に、フィンガは個別の変換器の少なくとも中央領域に周期的ピッチで配置される。フィンガ間隔は、連続して配置されたフィンガの中心間で測定される。フィンガ間隔は、特に変換器の端領域において、周期的ピッチからずれることがある。
【００１６】
個別のインピーダンス素子の周波数を定めるインターディジタル型変換器のフィンガ周期の比率は、ＳＡＷインターディジタル型変換器に基づく帯域阻止フィルタの阻止効果に決め手となる。この場合、少なくとも１つの直列素子のインターディジタル型変換器における平均フィンガ周期は、１または複数の電気音響並列素子のインターディジタル型変換器における平均フィンガ周期よりも大きい。結果として、フィンガ周期に相当する並列素子のインターディジタル型変換器における中心周波数または共振周波数は、直列素子の中心周波数または共振周波数よりも高い。直列素子のインターディジタル型変換器のフィンガ周期Ｐｓと、並列素子のインターディジタル型変換器のフィンガ周期Ｐｐとの間の好適な比率は、１．０３ないし１．１０であり、その場合は、中心周波数または共振周波数の比率にも相当する。
【００１７】
好適には、ＳＡＷ変換器はＳＡＷ共振器の一部を形成する。ある変形形態において、ＳＡＷ共振器は、変換器と、変換器がその間に配置された２つの反射器から構成される。別の変形形態において、ＳＡＷ共振器は、音響的に互いに結合された、少なくとも２つの隣接配置された変換器を有する変換器配置を含む。この変換器配置は、２つの反射器の間に配置される。ＳＡＷ共振器は、ＤＭＳトラックを含んでもよい。ＤＭＳとは、二重モード表面弾性波を意味する。
【００１８】
ある有利な変形形態において、直列素子は少なくとも１つのＢＡＷ共振器を含む。ある変形形態において、並列素子は少なくとも１つのＢＡＷ共振器を含む。ＢＡＷとは、バルク音波、すなわち音響バルク波を意味する。
【００１９】
並列素子の共振周波数は、直列素子の共振周波数よりも好適には高いという一般的なルールは、ＢＡＷ共振器に基づく電気音響的直列素子および／または並列素子を有する帯域阻止フィルタにもまた適合する。
【００２０】
記述されたフィルタは、ＳＡＷ変換器を特徴とするが、該記述はＢＡＷ構成にもまた同様にあてはまる。この点において、ＳＡＷ変換器はＢＡＷ共振器に置き換えられる。音響的に結合された変換器またはインライン配置の変換器を含む音響トラックの記述は、妥当な場合に、交互に配置され、かつ音響的に結合したＢＡＷ共振器を有する共振器積層体に対してもまた、同様に適合する。
【００２１】
原則として、上述の表面弾性波帯域通過フィルタは、バルク音波フィルタ（ＢＡＷフィルタ）に置き換えられ得る。好適には、ＢＡＷフィルタは、互いに音響的に結合するＢＡＷ共振器を含む。別の変形形態において、ＢＡＷフィルタは、はしご型配列中で相互接続されたＢＡＷ共振器を含む。はしご型配列は、信号路に配置されている直列共振器と、シャントアームに配置されている並列共振器とを含む。
【００２２】
フィルタの有利な実施形態は、以下に記述される。
【００２３】
ある変形形態において、直列素子および並列素子は互いに導電的に接続される。この場合、帯域阻止フィルタは帯域通過フィルタの上流または下流に接続され得る。
【００２４】
別の変形形態において、直列素子は入力側の信号路に配置されるのに対し、並列素子を有するシャントアームは、好適には入力側の信号路から電気的に絶縁した出力側の信号路に接続される。入力側と出力側は、入れ替えが可能である。この場合、帯域通過フィルタは、帯域阻止フィルタの直列素子と並列素子との間に配置される。
【００２５】
ある実施形態において、直列素子、および並列素子の共振周波数および反共振周波数は、帯域通過フィルタの通過帯域の外側にある。
【００２６】
ある変形形態において、帯域阻止フィルタの両方の素子の共振周波数および反共振周波数は、帯域通過フィルタの通過帯域の上方にある。この場合、帯域阻止フィルタの直列変換器および並列変換器の平均フィンガ間隔は、帯域通過フィルタの各平均フィンガ間隔よりも小さい。
【００２７】
帯域通過フィルタの平均フィンガ間隔は、音響トラックの長さと、このトラックにおけるフィンガの数との比率として定義される。音響トラックの長さは、端に位置するフィンガの外向きの縁間で測定される。
【００２８】
別の変形形態において、帯域阻止フィルタの直列素子の共振周波数は、帯域通過フィルタの通過帯域内にあるのに対し、その反共振周波数は、帯域通過フィルタの通過帯域の上方にある。帯域阻止フィルタの並列素子の共振周波数および反共振周波数もまた、帯域通過フィルタの通過帯域の上方にある。直列変換器の平均フィンガ間隔は、帯域通過フィルタのものと基本的に同一である。並列変換器の平均フィンガ間隔は、帯域通過フィルタのそれよりも小さい。
【００２９】
別の変形形態において、帯域阻止フィルタの両方の素子の共振周波数および反共振周波数は、帯域通過フィルタの通過帯域の下方にある。この場合、帯域阻止フィルタの直列変換器および並列変換器の平均フィンガ間隔は、帯域通過フィルタのそれよりも大きい。
【００３０】
また別の変形形態において、帯域阻止フィルタの直列素子の共振周波数および反共振周波数は、帯域通過フィルタの通過帯域の下方にあるのに対し、帯域阻止フィルタの並列素子の反共振周波数は、帯域通過フィルタの通過帯域内にある。この場合、並列変換器の平均フィンガ間隔は、帯域通過フィルタのものと基本的に同一である。直列変換器の平均フィンガ間隔は、帯域通過フィルタのものよりも大きい。
【００３１】
フィルタは、ある変形形態において対称的に（平衡状態に）実装される第１の電気ポートを特徴とする。この場合、フィルタは、平衡信号の経路設定のために設計された第１の信号路と第２の信号路とを含む。
【００３２】
フィルタは、ある変形形態において対称的に（平衡状態に）実装される第２の電気ポートを特徴とする。これは、フィルタが、入力側と出力側とで対称的になるように配線されることを意味する。
【００３３】
別の変形形態において、第２のポートは非対称的に（シングルエンドで）実装される。この場合、フィルタは平衡不平衡変成器を示す。別の変形形態において、フィルタの両方のポートは、非対称的に実装される。
【００３４】
帯域通過フィルタの変換器は、フィルタの入力路に接続される少なくとも１つの入力変換器と、フィルタの出力路に接続される少なくとも１つの出力変換器とを含む。
【００３５】
帯域通過フィルタは、音響トラック内に配置される変換器配列を特徴とし、好適には互いに音響的に結合し隣接して配置された少なくとも３つの変換器を含む。好適には、各変換器は接地される。帯域通過フィルタの音響トラックの２つの側面は、２つの音響反射器により境界が定められる。好適には帯域通過フィルタはＤＭＳフィルタの形態で実装される。
【００３６】
ある有利な変形形態において、帯域通過フィルタの変換器配列は、３つ以上の変換器、特に入力変換器と出力変換器とを含む。少なくとも２つの入力または出力変換器は並列に、かつ信号路に接続され得る。
【００３７】
ある変形形態において、帯域阻止フィルタの第１の直列素子および帯域通過フィルタの第１の変換器からなる直列回路は、第１の信号路内に配置される。帯域阻止フィルタの第２の直列素子および帯域通過フィルタの第２の変換器からなる直列回路は、第２の信号路内に配置される。
【００３８】
ある変形形態において、帯域阻止フィルタは第１の並列素子および第２の並列素子を含む。第１および第２の並列素子の直列回路は、シャントアーム内に配置される。並列素子は、導電的接続で互いに接続される。その接続は、フローティング状態、または接地状態でもよい。
【００３９】
ある実施形態において、帯域阻止フィルタは、帯域阻止フィルタの少なくとも２つの素子を含む、変換器のインライン配列を特徴とする。この場合、帯域阻止フィルタの各素子は変換器の形態で実装される。
【００４０】
ある変形形態において、インライン配列は帯域阻止フィルタの第１および第２の直列素子を含む。別の変形形態において、インライン配列は帯域阻止フィルタの直列素子および並列素子を含む。
【００４１】
また別の変形形態において、インライン配列は帯域阻止フィルタの第１および第２の並列素子を含む。ある変形形態において、第１および第２の並列素子は、妥当な場合には、互いに導電的に接続、かつ接地される。
【００４２】
インライン配列の形態で配置される帯域阻止フィルタの素子（変換器）は、好適には互いに隣接して配置され、かつ互いに音響的に結合する。
【００４３】
インライン配列は、帯域阻止フィルタの第１および第２の直列素子を含む多重ポート共振器の形態で実装可能である。インライン配列は、帯域阻止フィルタの第１および第２の並列素子を含む多重ポート共振器の形態で実装可能である。一般に、多重ポート共振器という用語は、音波の伝播方向に互いに隣接して配置され、かつ２Ｎ極を形成する、Ｎ個の変換器を有する音響トラックを示す。Ｎは２以上の自然数である。
【００４４】
Ｎ個の別々の共振器と比べると、１つのトラック内にＮ個の変換器を有する多重ポート共振器は、特に省スペースの解決策を提供する。多重ポート共振器により、損失を低減することが可能となる。
【００４５】
多重ポート共振器の個々の変換器は、音響的に結合し、かつフィルタ回路のシャントアーム内のみならず直列分岐内にも配置され得る。２つの共振器または変換器の音響的結合により、全体として、フィルタの伝達関数における極またはゼロ点を追加生成することが可能になる。これは、所定の周波数で目標とする抑制用に使用可能である。
【００４６】
インライン配列は、変換器間に配置される中間反射器を特徴とし得る。ある変形形態において、中間反射器は音響的に一部透過性を有する。
【００４７】
別の変形形態において、音響反射器は音響的に不透過性を示す。この場合、インライン配列は、１つの共通の反射器を有し、互いに音響的に分離されている２つの共振器を含む。この設計は、とりわけ省スペースである。
【００４８】
帯域阻止フィルタは、いくつかのインライン配列または多重ポート共振器を特徴とし得る。第１のインライン配列は好適には２つの直列素子を含み、第２のインライン配列は帯域阻止フィルタの２つの並列素子を含む。
【００４９】
フィルタは、帯域通過フィルタの第３の変換器が配置される第３の信号路を特徴とする。好適には、第３の信号路は不平衡で（シングルエンドで）、第１および第２の信号路から電気的に絶縁される。第３の信号路は入力路を形成し、第１および第２の信号路は出力路を形成し、その逆もまた同様である。
【００５０】
ある変形形態において、シャントアームは第１の信号路と第２の信号路とを接続する。また、シャントアームは信号路の１つ、例えば第３の信号路を接地してもよい。
【００５１】
ある変形形態において、帯域通過フィルタの直列素子および第３の変換器の直列回路は、第３の信号路内に配置される。
【００５２】
ある変形形態において、帯域阻止フィルタは、別の電気音響的並列素子または並列素子の直列回路が配置される、少なくとも１つの他のシャントアームを含む。
【００５３】
ある実施形態において、帯域通過フィルタの第１および第２の変換器は並列に、かつ共通の信号路に接続される。ある変形形態において、並列素子を有するシャントアームは、共通信号路に接続される。ある変形形態において、直列素子は共通信号路内に配置される。あるいは帯域阻止フィルタの直列素子は、第３の信号路に配置され得る。
【００５４】
ある変形形態において、共通信号路は第３の信号路から電気的に絶縁され、（第１および第２の信号路のかわりに）出力路を形成する。
【００５５】
ある有利な変形形態において、直列素子およびシャントアーム内の少なくとも１つの並列素子は、共通の音響トラック内に配置される。直列素子および少なくとも１つの並列素子は、互いに音響的に結合する。
【００５６】
開示されたフィルタは、真の縮尺ではない概略図を参照して下記に記載される。
【図面の簡単な説明】
【００５７】
【図１Ａ】開示されたフィルタに使用される帯域通過フィルタを示す図である。
【図１Ｂ】開示されたフィルタに使用される帯域通過フィルタを示す図である。
【図１Ｃ】開示されたフィルタに使用される帯域通過フィルタを示す図である。
【図１Ｄ】開示されたフィルタに使用される帯域通過フィルタを示す図である。
【図１Ｅ】開示されたフィルタに使用される帯域通過フィルタを示す図である。
【図１Ｆ】開示されたフィルタに使用される帯域通過フィルタを示す図である。
【図２Ａ】等価回路を示す図である。
【図２Ｂ】等価回路を示す図である。
【図２Ｃ】等価回路を示す図である。
【図３】帯域阻止フィルタが、２つの直列素子と、直列に接続された２つの並列素子を有するシャントアームとを含む、フィルタを示す図である。
【図４】帯域阻止フィルタが、２つの直列素子と、１つの並列素子を有するシャントアームとを含む、フィルタを示す図である。
【図５】帯域阻止フィルタが、２つの直列素子と、１つの並列素子をそれぞれ備える２つのシャントアームとを含む、フィルタを示す図である。
【図５Ａ】４つの共振器のブリッジ回路を特徴とする帯域阻止フィルタを有する、フィルタを示す図である。
【図６】帯域阻止フィルタが、出力側に接続された２つの直列素子と、入力側に接続された１つの並列素子とを含む、フィルタを示す図である。
【図７】直列素子が互いに音響的に結合した、図６に係るフィルタの変形形態を示す図である。
【図７Ａ】直列素子が互いに音響的に結合した、図６に係るフィルタの別の変形形態を示す図である。
【図８】互いに音響的に結合した２つの直列素子と、直列に接続した２つの並列素子を持つ１つのシャントアームとを有する、フィルタを示す図である。
【図８Ａ】表面弾性波多重ポート共振器を特徴とする帯域阻止フィルタを有する、図８に係るフィルタの変形形態を示す図である。
【図８Ｂ】２つの音響変換器を含み、それぞれは互いに音響的に結合した同一の変換器である帯域阻止フィルタを有する、図８に係るフィルタの変形形態を示す図である。
【図８Ｃ】並列素子に音響的に結合した直列素子を有する、図８に係るフィルタの変形形態を示す図である。
【図９】帯域阻止フィルタの直列素子および並列素子が、Ｌ素子を形成する、フィルタを示す図である。
【図１０】帯域阻止フィルタが、音響トラック内に配置される直列素子と、並列素子とを有する多重ポート共振器を含む、フィルタを示す図である。
【図１１】両側で不平衡に接地配線されたフィルタであって、帯域阻止フィルタの直列素子が出力路内に配置され、並列素子が入力路内に配置された、フィルタを示す図である。
【図１２】両側で不平衡に接地配線されるフィルタであって、帯域阻止フィルタの直列素子および並列素子が、互いに音響的に結合された、フィルタを示す図である。
【図１２Ａ】帯域阻止フィルタの直列素子および並列素子が、音響トラック内に配置された、図１２に係るフィルタを示す図である。
【図１３】帯域阻止フィルタの直列素子および並列素子が、互いに音響的に結合した、平衡不平衡変成器型のフィルタを示す図である。
【図１３Ａ】帯域阻止フィルタの直列素子および並列素子が、音響トラック内に配置された、図１３に係るフィルタを示す図である。
【図１４】両側部で不平衡に接地配線される、図９に係るフィルタを示す図である。
【図１５】並列素子が、共振器積層体内に実装された、図３に係るフィルタの変形形態を示す図である。
【図１５Ａ】並列素子が、中間反射器を有するインライン配列内に実装された、図３に係るフィルタの変形形態を示す図である。
【図１６】並列素子が、共振器積層体内に実装された、図６に係るフィルタの変形形態を示す図である。
【図１６Ａ】並列素子が、中間反射器を有するインライン配列内で実装された、図６に係るフィルタの変形形態を示す図である。
【図１７】直列素子および並列素子が、それぞれ中間反射器を用いてインライン配列内で実装された、図３に係るフィルタの変形形態を示す図である。
【図１８Ａ】帯域阻止フィルタを有するフィルタ、および帯域阻止フィルタを有しないフィルタに対する伝達関数を示す図である。
【図１８Ｂ】帯域阻止フィルタを有するフィルタに対する伝達関数ならびに帯域阻止フィルタの直列素子と並列素子とのコンダクタンスＹの合計の周波数レスポンスを示す図である。
【図１９Ａ】帯域阻止フィルタを有するフィルタおよび帯域阻止フィルタを有しないフィルタに対する伝達関数を示す図である。
【図１９Ｂ】帯域阻止フィルタを有するフィルタに対する伝達関数ならびに帯域阻止フィルタの直列素子と並列素子とのコンダクタンスＹの合計の周波数レスポンスを示す図である。
【発明を実施するための形態】
【００５８】
図１Ａは、長手方向に音響的に結合された変換器５２、６１、６２を有し、ＤＭＳフィルタの形態で実装された、典型的な帯域通過フィルタ１００を示す。帯域通過フィルタ１００は、両側で音響反射器３１、３２により境界が定められた音響トラックを含む。２つの出力変換器６１、６２と、それらの出力変換器間に配置された１つの入力変換器５２とを含む変換器配列が、トラック内に配置される。
【００５９】
入力変換器５２は、（不平衡の）入力路に接続される。第１の出力変換器６１は第１の出力路に接続され、第２の出力変換器６２は第２の出力路に接続される。
【００６０】
ＤＭＳフィルタは、第１および第２の出力路が共同で平衡信号路を形成する平衡不平衡変成器として動作し得る。
【００６１】
しかし、出力変換器６１、６２は、互いにかつ共通の（不平衡の）信号路に導電的に接続され得る。これは、２つの不平衡ポートを有するＤＭＳフィルタに相当する。
【００６２】
いくつかの入力変換器といくつかの出力変換器がある場合には、少なくとも１つの第１の入力変換器は第１の代替パスに接続され得、少なくとも１つの第２の入力変換器は平衡入力路の第２の代替パスに接続され得る。その際、少なくとも１つの第１の出力変換器は第１の代替パスに接続され、少なくとも１つの第２の出力変換器は平衡出力路の第２の代替パスに接続される。これは、２つの平衡ポートを有するＤＭＳフィルタに該当する。
【００６３】
各変換器は、互いに係合する電極フィンガを有する２つのくし状電極を特徴とする。音波は、異なる電位に接続される２つのフィンガの間で励起される。音波は音響トラックの長手方向に伝播する。入力および出力変換器は長手方向に音響結合される。入力変換器５２内で刺激された音波は、出力変換器６１、６２内で電気信号を励起する。
【００６４】
図１Ｂは、帯域通過フィルタを実装するための別の変形形態を示す。ここでは、変換器配列は、並列に接続された３つの入力変換器５１、５２、５３を特徴とする。
【００６５】
図１Ａにおいて、入力変換器５２は、２つの出力変換器６１、６２の間に配置される。逆に、出力変換器を２つの入力変換器の間に配置してもよい。入力および出力変換器は、好適には交互に連続して配置される。ある変形形態において、例えば図１Ｃおよび図１Ｄ中の中央の出力変換器６２のような、入力または出力変換器のうちの１つは、Ｖ分割によって連続的に配置される部分変換器６２ａと６２ｂとに分割される。部分変換器６２ａと６２ｂとは、好適には共通母線９９により互いに導電的に接続される。
【００６６】
１つの入力変換器のみを備える代わりに、原則的には、少なくとも２つの入力変換器からなる並列回路を使用することも可能であろう。１つの出力変換器のみを備える代わりに、原則的には、少なくとも２つの出力変換器からなる並列回路を使用することもまた可能であろう。
【００６７】
図１Ｃに示される変形形態において、２つの入力変換器５１、５２は、並列に、かつ入力ポートの入力端子に接続される。部分変換器６２ａは、第１の出力変換器６１および出力ポートの第１の出力端子に導電的に接続される。部分変換器６２ｂは、第２の出力変換器６２、および出力ポートの第２の出力端子に導電的に接続される。
【００６８】
中央の出力変換器６２の２つの部分変換器６２ａ、６２ｂを接続する共通母線９９は、フローティングの態様で実装されてもよく、また接地されてもよい。図１Ｄに示される変形形態に従って、母線９９の接地接続は、母線９９と、入力変換器５１および／または５２のシャーシの接地バスとの間の導電接続の形態で実装することができる。この導電接続は、変換器５１、６２ａおよび６２ｂ、５２の接地電極の延伸フィンガによって生成され、音響トラックを貫通する。
【００６９】
帯域通過フィルタ１００は、図１Ｅに示されるとおり、互いに導電的に接続される２つのＤＭＳフィルタを特徴とし得る。２つのＤＭＳトラックの入力変換器５２、５３は、互いに、かつ帯域通過フィルタの入力端子に導電的に接続される。第１のＤＭＳフィルタの出力変換器６１、６２は、互いに、かつ帯域通過フィルタの第１の出力端子に導電的に接続される。第２のＤＭＳフィルタの出力変換器６３、６４は、互いに、かつ帯域通過フィルタの第２の出力端子に導電的に接続される。
【００７０】
図１Ｅに示される２つのＤＭＳフィルタはインライン配列を形成する。反射器３２、３３は、両方のＤＭＳフィルタに対し１台の共有反射器に置き換えることができる。図１Ｆは、帯域通過フィルタ１００の別の実施形態を示す。この場合、帯域通過フィルタは、互いに結合され、かつそれぞれにＤＭＳトラックの形態で実装される２つの音響トラックを特徴とする。
【００７１】
第１のＤＭＳトラックの各出力変換器６２ａ、６２ｂ、６６、６７は、第２のＤＭＳトラックの入力変換器５５ａ、５５ｂ、５８、５９のうちのいずれか１つに直列に接続される。（変換器６６から変換器５８に、変換器６２ａから変換器５５ａに、変換器６２ｂから変換器５５ｂに、変換器６７から変換器５９に）これらの変換器は、両方のＤＭＳトラックを音響的に結合するための結合変換器を表す。
【００７２】
第１のＤＭＳトラックの入力変換器５１、５２は、互いに、かつ帯域通過フィルタの入力端子に導電的に接続される。第２のＤＭＳフィルタの第１の出力変換器６８は、帯域通過フィルタの第１の出力端子に接続される。第２のＤＭＳフィルタの第２の出力変換器６９は、帯域通過フィルタの第２の出力端子に接続される。
【００７３】
下記フィルタの実施形態において、図１Ａに係る帯域通過フィルタ１００は、図１Ｂ〜１Ｆのうちのいずれか１つに係る変形形態、または、同様に設計された帯域通過フィルタに置き換えることができる。入力および出力の変換器の数量は、示されている変形形態に限定されない。
【００７４】
図２Ａ、２Ｂ、２Ｃは、下記図中の帯域阻止フィルタ２００の直列素子２１、２２および／または並列素子２３、２４として使用されている、音響共振器（右図）用の等価回路記号（左図）を示す。図２Ａ、２Ｂは音響１ポート共振器を示し、図２Ｃは音響２ポート共振器を示す。
【００７５】
表面弾性波共振器は、少なくとも１つのＳＡＷ変換器７１、７２を特徴とする変換器配列を有する音響トラックを含む。変換器配列は、音響トラックの両側の境界を定める２つの反射器３１、３２の間に配置される。変換器配列と反射器は、共同でインライン配列を形成する。インライン配列は、音響的に一部透過性があり、かつ変換器配列（図２Ｃ、１５Ａ、１６Ａ、１７参照）の中の２つの変換器７１、７２の間に配置される、中間反射器３５、または３６を含んでもよい。
【００７６】
別の変形形態において、表面弾性波共振器は、変換器７１、７２に加えて音響的に不透過性の中間反射器３５を特徴とするインライン配列を含む。変換器７１と反射器３１、３５とは共同で第１の共振器を形成し、変換器７２と反射器３５、３２とは別個の第２の共振器を形成する。この場合、両方の音響的に分離した共振器は、共通の反射器を有する。
【００７７】
インライン配列のＳＡＷ変換器は、図２Ｂに示されるとおり、互いに導電的に接続され得る。この形式の接続は、共通の母線により生成可能である。しかし、Ｎ個の変換器を有する共振器は、図２Ｃに示されるとおり、２Ｎ極の様にもまた接続され得る。Ｎは、２以上の自然数である。
【００７８】
バルク音波共振器は、少なくとも１つのＢＡＷ共振器を有する共振器積層体を含む。各ＢＡＷ共振器は２つの電極８１、８３、８５、８７と、該電極の間に配置された圧電層８２、８４を含む。交互に配置されるＢＡＷ共振器８０１、８０２は、図２Ｂ中の電極８３の様な共通の電極を特徴とし得る。別の変形形態において、好適には音響的に一部透過性のある結合層８６が、ＢＡＷ共振器８０１と８０２との間に配置される。しかし、この結合層８６はまた、不透過性の音響鏡に置き換えることもできる。
【００７９】
ＢＡＷ共振器８０１、８０２はＳＡＷ変換器７１、７２に相当する。結合層８６は、音響的に一部透過性を有し、また結合素子としても好適な中間反射器３５に相当する。一体型の、同一の音響トラックに配置される、２つの隣接するＳＡＷ変換器間の長手方向の音響的結合は、一体型の、同一の共振器積層体内に実装される２つのＢＡＷ共振器間の垂直方向の音響的結合に相当する。これが、実施形態においてＳＡＷ共振器がＢＡＷ共振器に置き換えられ得る理由であり、その逆も同様である。したがって、Ｎ個の結合した変換器を有するＳＡＷ共振器は、Ｎ個の結合したＢＡＷ共振器を有する共振器積層体に置き換えることができる。
【００８０】
帯域通過フィルタ１００と帯域阻止フィルタ２００とを有するフィルタの異なる実施形態が、図３以下に示される。帯域通過フィルタ１００は、第１の変換器１１、第２の変換器１２および第３の変換器１３を含む。
【００８１】
帯域阻止フィルタ２００は、第１の直列素子２１、第２の直列素子２２、第１の並列素子２３および第２の並列素子２４を含む。
【００８２】
変換器１１、１２は出力変換器として機能し、変換器１３は入力変換器として機能する。変換器１３は入力路内に配置される。変換器１１、１２は、それぞれ第１および第２の出力路内に配置されるか（図３、４、５、５Ａ、６、７、７Ａ、８、８Ａ、８Ｂ、８Ｃ、９、１０、１３、１３Ａ、１５、１５Ａ、１６、１６Ａ、１７）または並列に、かつ共通（シングルエンド）の出力路に接続される（図１１、１２、１２Ａ、１４）。ＤＭＳトラックの第３の変換器１３に接続される信号路は、図において入力路として示される。入力側と出力側ともまた、入れ替えることができる。
【００８３】
前述の変形形態において、入力路はシングルエンド型で実装される。相応数の入力変換器が与えられ、かつそれに応じて配線されれば、入力路も出力路と同様に、平衡型で実装可能である。
【００８４】
図３は、第１のフィルタを示す。第１の変換器１１および第１の直列素子２１の直列回路は、第１の出力路内に配置される。第２の変換器１２および第２の直列素子２２の直列回路は、第２の出力路内に配置される。第１および第２の出力路は、共同で平衡信号路を形成する。直列素子２１、２２は音響共振器の形態で実装され、かつ互いに音響的に分離される。これは図４、５、５Ａ、６、１４、１５Ａにもまた適合する。
【００８５】
シャントアームは、２つの出力路の間に配置される。帯域阻止フィルタの第１および第２の並列素子２３、２４の直列回路は、シャントアーム内に配置される。並列素子２３、２４は、互いに音響的に分離され、かつ互いに導電的に接続される音響共振器として構成される。これは図５Ａ、８、８Ａにもまた適合する。
【００８６】
一方が他方の後ろに接続された２つの並列素子２３、２４は、接地接続してもよい。しかしながら、並列素子２３、２４の間の電気接続はフローティング態様のままでもよい。これらのことは図８、８Ａ、８Ｂ、１０、１５、１５Ａ、１６Ａにもまた該当する。
【００８７】
図４に係る変形形態において、第１および第２の並列素子２３、２４の直列回路の代わりに、１個の並列素子２３のみが設けられる。図５に係る変形形態において、第１の並列素子２３を有する第１のシャントアームに加えて、第２の並列素子２４を有する第２のシャントアームが設けられる。
【００８８】
図３、図４および図５に係る変形形態において、帯域阻止フィルタ２００の直列および並列素子は、平衡信号路の出力側に音響共振器のはしご型配列を形成する。一方、図９および１４に示されるとおり、シングルエンド入力路内に配置されるはしご型配列は、直列分岐内に配置される直列素子２１と、シャントアーム内に配置される接地並列素子２３とを含有し得る。
【００８９】
図９および図１４において、互いに音響的に分離された帯域阻止素子２１、２３は、単純なはしご型素子（Ｌ素子）を形成する。結合された帯域阻止素子２１、２３を有する変形形態は、図１３、１３Ａに示される。原則的には、図９に相当する図１４に係るフィルタは、非対称（すなわち、シングルエンド／シングルエンド）の動作用である。
【００９０】
図５Ａは、図５に示される実施形態の代替例を示す。音響共振器のはしご型配列は、共振器の格子型配置、すなわちブリッジ回路に置換されてもよい。
【００９１】
帯域通過フィルタ１００は、図６、７、７Ａ、１１、１６、１６Ａに示されるとおり、帯域阻止フィルタ２００の直列素子と並列素子との間に配置されうる。この場合、並列素子２３、２４を有するシャントアームは、入力路および入力変換器１３に接続される。図６、７、７Ａ、１６、１６Ａにおいて、直列素子２１、２２は、図３、４、５と同様に、平衡出力路の直列分岐内に配置される。
【００９２】
平衡信号路は、第１および第２の部分路を特徴とする。それらの部分路における信号振幅は、好適には少なくとも１つの周波数範囲内で根本的に同一であり、部分路間の位相差は１８０°である。
【００９３】
図１１において、帯域阻止フィルタの直列素子２１は、両方の出力変換器１１、１２が接続されるシングルエンドの出力路内に配置される。原則的には図１１に係るフィルタは、図６に係るフィルタに相当するものであるが、非対称（すなわち、シングルエンド／シングルエンド）の動作用に設計されている。
【００９４】
図７、７Ａ、８、８Ａ、８Ｂに係る変形形態において、帯域阻止フィルタ２００の直列素子２１、２２は、互いに音響的に結合されるが、異なる出力路内に配置される。
【００９５】
図７Ａにおいて、並列素子２３は、１ポート共振器の形態で実装される。結合した直列素子２１、２２は、音響トラック内に互いに隣接して配置される変換器の形態で実装される。音響トラックは、音響反射器３３、３４により境界が定められ、四重極を表す２ポート共振器の形態で実装される。
【００９６】
図８Ａに係る変形形態におけるシャントアームは、図３に示される変形形態に関連してすでに記述された。図８、８Ａに係るフィルタは、それぞれ図３に示されるフィルタの変形形態を示し、図３とは異なり、直列素子２１、２２は互いに音響的に結合される。このことは図６、７、７Ａにもまた該当する。
【００９７】
図８Ｂに係る変形形態において、帯域阻止フィルタ２００の並列素子２３、２４もまた、互いに音響的に結合される。それらは、直列に接続し、音響的に結合した部分共振器を有する２ポート共振器または１ポート共振器中に実装される。
【００９８】
図８Ｃは、図８に係るフィルタの更なる変形形態を示し、帯域阻止フィルタ全体は１つのトラック内に実装される。シャントアーム内に配列された直列素子２１、２２および並列素子２３、２４は、この場合、共通の音響トラック内に配置される。直列素子２１、２２および並列素子２３、２４は音響的に互いに結合される。
【００９９】
並列素子２３、２４は互いに隣接して配置され、かつ直列に接続される。好適には、並列素子２３、２４は変換器の部分変換器の形態で実装され、かつ片側で、共通の母線に接続される。２つの並列素子が互いに電気的に接続した電気ノードは、示される変形形態において、接地される。このノードまたは共通の母線もまた、フローティング態様で実装されてもよい。図１５、１５Ａ、１６、１６Ａ、１７は、帯域阻止フィルタ２００の並列素子２３、２４が互いに音響的に結合される、フィルタの異なる実施形態を示す。
【０１００】
図１０に係る変形形態において、帯域阻止フィルタ２００は、４つの隣接して配置された変換器を有する変換器配列を特徴とする多重ポート共振器を含む。２ポート共振器の端に位置する変換器（この場合、直列変換器）は、帯域阻止フィルタ２００の直列素子２１、２２として設けられている。直列に接続される中央配置の変換器（この場合、並列変換器）は、帯域阻止フィルタ２００の並列素子２３、２４として設けられ、ＤＭＳフィルタの変換器１１、１２に導電的に接続される。並列変換器は、ＤＭＳフィルタの出力信号を多重ポート共振器の音響トラック中に結合するための結合変換器として機能する。
【０１０１】
この場合、帯域阻止フィルタ２００の直列素子２１、２２は、並列素子２３、２４と同様に、互いに音響的に結合される。
【０１０２】
図８Ｃ、１２、１２Ａ、１３、１３Ａは、直列素子２１が並列素子２３に音響的に結合されるフィルタの異なる実施形態を示す。図１２Ａおよび１３Ａにおいて、帯域阻止フィルタ２００の結合した素子２１、２３は、音響トラック内で互いに隣接して配置される変換器の形態で実装される。
【０１０３】
図１２、１２Ａにおいて、両方の帯域阻止素子２１、２３は互いに、かつ帯域通過フィルタ１００の変換器１１、１２に導電的に接続される。この場合、並列素子２３を有するシャントアームは、直列素子２１と帯域通過フィルタ１００との間に配置される。
【０１０４】
図１３、１３Ａにおいて、帯域阻止フィルタ２００は入力ＩＮと帯域通過フィルタ１００との間に配置される。並列素子２３を有するシャントアームは、フィルタの入力ＩＮに接続される。直列素子２１は、帯域通過フィルタ１００の第３の変換器１３に直列に接続される。
【０１０５】
図１５Ａ、１６Ａに係る変形形態において、帯域阻止フィルタ２００は図２Ｃに係るインライン配列を含む。
【０１０６】
図１５Ａに係るインライン配列は、並列素子２３、２４（図２Ｃの変換器７１、７２）と、端部反射器３３、３４と、変換器間に配置される中間反射器３５とを含む。妥当な場合には、並列素子２３、２４は直列に接続され、接地される。
【０１０７】
図１５、１５Ａに係るフィルタは、それぞれ図３に係るフィルタの変形形態を示し、図３とは異なり、並列素子２３、２４は互いに音響的に結合される。
【０１０８】
図１６、１６Ａに示される帯域阻止フィルタは、入力側に配置される並列素子２３と、出力側に配置され、かつ配線され、図８に示される変形形態と同様に、互いに音響的に結合した直列素子２１、２２とを含む。
【０１０９】
図１６Ａに係るインライン配列は、直列素子２１、２２（図２Ｃの変換器７１、７２）と、端部反射器３３、３４と、変換器間に配置される中間反射器３６とを含む。直列素子２１、２２は異なる出力路に配置される。
【０１１０】
図１７は、帯域阻止フィルタ２００が２つのインライン配列を含む実施形態を示す。図１６Ａに示される変形形態と同様に、第１のインライン配列は２つの変換器（直列素子２１、２２）を含み、それらの間には、妥当な場合には音響的に一部透過性であり得る中間反射器３６が配置される。第２のインライン配列は、図１６Ａに示されるものに相当する。
【０１１１】
中間反射器３５、３６により、変換器間を所望の音響的結合度に調整することが可能になる。
【０１１２】
図１Ａ〜１Ｅに示される帯域通過フィルタ１００と帯域阻止フィルタ２００との他の組合せを実現することは、可能である。反射器３１、３２、３３、３４、３５、３６は、図においてフローティングの態様で実装される。しかしながら、原則的には、それらは接地されてもよい。
【０１１３】
図５Ａに係る帯域阻止フィルタはブリッジ回路の形態で実装され、互いから音響的に分離される４つの音響共振器を含む。しかしながら、２つの各共振器または４つすべての共振器は、互いに音響的に結合されてもよい。
【０１１４】
好適に配線された場合、ブリッジ回路は、原則として図８Ｂにあるような２つの結合した変換器をそれぞれ特徴とする２つの２ポート共振器、図１７に係る２つのインライン配列、または図１０に係る音響トラック内に４つの変換器を有するインライン配列により実装され得る。
【０１１５】
図１８Ａは、ＤＭＳフィルタを特徴とするが、帯域阻止フィルタを有しないフィルタ回路の伝達関数１を示す。また、本図は、ＤＭＳフィルタと帯域阻止フィルタとを含むフィルタ回路の伝達関数２を示す。
【０１１６】
図１８Ｂは、伝達関数２、ならびに直列素子に対するアドミタンス曲線２ｓおよび帯域阻止フィルタの並列素子に対するアドミタンス曲線２ｐを示す。アドミタンス曲線は、周波数の関数として示されるコンダクタンスＹ２１の大きさに相当する。直列素子の共振は２１４２ＭＨｚ、すなわちＤＭＳフィルタの通過帯域内にある。
【０１１７】
直列素子の反共振は２２２０ＭＨｚ、すなわち伝達関数２の上方傾斜面の範囲内にある。並列素子の共振は２２６３ＭＨｚにあり、並列素子の反共振は２３４３ＭＨｚにある。これら全ての共振周波数はＤＭＳフィルタの帯域よりも上方にある。帯域阻止フィルタを有するフィルタ回路は、これらの状況下でＤＭＳフィルタの帯域よりも上方で、改良された隣接チャネル広帯域選択性を有する。
【０１１８】
この場合において、フィルタの隣接チャネル選択性をおよそ１５ｄＢから３９ｄＢに増加することが可能になった。
【０１１９】
図１９Ａ、図１９Ｂに係る変形形態において、直列素子の共振は２４００ＭＨｚに、直列素子の反共振は２４８８ＭＨｚに、並列素子の共振は２５３７ＭＨｚにあり、そして並列素子の反共振は２６００ＭＨｚより上方にある。この場合も、直列素子の共振周波数はＤＭＳフィルタの帯域よりもはるか上方にある。この場合、２５００ないし２６００ＭＨｚの周波数範囲内で、フィルタの遠隔選択性を４２ｄＢ（帯域阻止フィルタなしで）から５８ｄＢ（帯域通過フィルタを用いて）まで改善することができる。
【符号の説明】
【０１２０】
１    帯域阻止フィルタなしのＤＭＳフィルタの伝達関数
２    帯域阻止フィルタによるＤＭＳフィルタの伝達関数
２ｓ  直列素子に対するアドミタンス曲線
２ｐ  並列素子に対するアドミタンス曲線
１１  第１の変換器
１２  第２の変換器
１３  第３の変換器
２１、２２  帯域阻止フィルタの直列素子
２３、２４、２５  帯域阻止フィルタの並列素子
３１、３２、３３、３４  音響反射器
３５、３６  中間反射器
５１、５２、５３  入力変換器
５８、５９  入力変換器
５５ａ、５５ｂ  変換器５５の部分変換器
６１、６２、６３  出力変換器
６２ａ、６２ｂ  変換器６２の部分変換器
６６、６７、６８、６９  出力変換器
７１、７２  変換器
８１、８３、８５、８７  電極
８２、８４  圧電層
８６  結合層
１００  帯域通過フィルタ
２００  帯域阻止フィルタ
８０１、８０２  ＢＡＷ共振器
ＩＮ  入力ポートの端子
ＯＵＴ、ＯＵＴ１、ＯＵＴ２  出力ポートの端子
【図１Ａ】
2010519813.tif 000003
【図１Ｂ】
2010519813.tif 000004
【図１Ｃ】
2010519813.tif 000005
【図１Ｄ】
2010519813.tif 000006
【図１Ｅ】
2010519813.tif 000007
【図１Ｆ】
2010519813.tif 000008
【図２Ａ】
2010519813.tif 000009
【図２Ｂ】
2010519813.tif 000010
【図２Ｃ】
2010519813.tif 000011
【図３】
2010519813.tif 000012
【図４】
2010519813.tif 000013
【図５】
2010519813.tif 000014
【図５Ａ】
2010519813.tif 000015
【図６】
2010519813.tif 000016
【図７】
2010519813.tif 000017
【図７Ａ】
2010519813.tif 000018
【図８】
2010519813.tif 000019
【図８Ａ】
2010519813.tif 000020
【図８Ｂ】
2010519813.tif 000021
【図８Ｃ】
2010519813.tif 000022
【図９】
2010519813.tif 000023
【図１０】
2010519813.tif 000024
【図１１】
2010519813.tif 000025
【図１２】
2010519813.tif 000026
【図１２Ａ】
2010519813.tif 000027
【図１３】
2010519813.tif 000028
【図１３Ａ】
2010519813.tif 000029
【図１４】
2010519813.tif 000030
【図１５】
2010519813.tif 000031
【図１５Ａ】
2010519813.tif 000032
【図１６】
2010519813.tif 000033
【図１６Ａ】
2010519813.tif 000034
【図１７】
2010519813.tif 000035
【図１８Ａ】
2010519813.tif 000036
【図１８Ｂ】
2010519813.tif 000037
【図１９Ａ】
2010519813.tif 000038
【図１９Ｂ】
2010519813.tif 000039
【国際調査報告】
2010519813.tif 000040
2010519813.tif 000041
2010519813.tif 000042
2010519813.tif 000043
2010519813.tif 000044
2010519813.tif 000045